(57)【特許請求の範囲】
【請求項１】
シンクの少なくとも前後壁の上端縁部に段部が形成され、この段部に前後端を載置することによりシンクの上部にプレートを支持出来るようになっており、また、前記シンクの後壁の一部に、後方に張り出す凹部が形成されているとともに、この凹部の上方に、洗剤容器等を収容、あるいは載置するトレーが着脱自在に設けられた流し台であって、
前記トレーの前端部に、前記シンクの上部に載置されるプレートの少なくとも左右いずれか一方向へのスライド移動を規制する規制手段が設けられていることを特徴とする流し台。
【請求項２】
前記シンクの上部に載置されるプレートの左右方向へのスライド移動が、前記シンクの側壁の上端縁部に形成される段部と前記規制手段とにより規制されるようになっている請求項１に記載の流し台。
【請求項３】
前記トレーの前端部に、前記シンクの上部に載置されるプレートの下面後端を支持する支持板が、前記トレーの左右方向に延びるように設けられている請求項１または２に記載の流し台。
【請求項４】
前記規制手段が、前記プレートの側面に当接可能に設けられるストッパ部材である請求項１ないし３のいずれかに記載の流し台。
【発明の詳細な説明】
【０００１】
【発明の属する技術分野】
本発明は、シンクの少なくとも前後壁の上端縁部に前後端を載置することによりシンクの上部にプレートを支持出来るようになっているとともに、前記シンクの後壁の一部に、後方に張り出す凹部が形成されており、この凹部の上方に、洗剤容器等を収容、あるいは載置するトレーが着脱自在に設けられた流し台に関する。
【０００２】
【従来の技術】
従来、主に調理時におけるシンクの使い勝手を向上させた流し台として、例えば特開平８−３１９６４３号公報に記載されているもの等がある。
【０００３】
上記公報に記載の流し台にあっては、後壁の一部に後方に張り出す凹部が設けられているが、洗剤容器等を収容、あるいは載置するとともに、前端部に段部を有するトレーを前記凹部の上部に取り付けることで、調理プレートや水切りプレートをシンクの上部に支持出来るようになっている。
【０００４】
【発明が解決しようとする課題】
しかしながら、例えば前記調理プレート上で調理を行ったり、また、水切りプレート上に食器等を載置した際において、プレートが左右方向に不用意に移動すると調理がしにくいばかりか、プレートが不用意に動いて食器等が落下しやすくなるといった問題を有していた。
【０００５】
本発明は、上記のような問題点を解決するため、シンクの上部に載置されるプレートを、使用時において不用意にスライド移動しないように支持出来る流し台を提供することを目的とする。
【０００６】
【課題を解決するための手段】
上記問題を解決するために、本発明の流し台は、シンクの少なくとも前後壁の上端縁部に段部が形成され、この段部に前後端を載置することによりシンクの上部にプレートを支持出来るようになっており、また、前記シンクの後壁の一部に、後方に張り出す凹部が形成されているとともに、この凹部の上方に、洗剤容器等を収容、あるいは載置するトレーが着脱自在に設けられた流し台であって、前記トレーの前端部に、前記シンクの上部に載置されるプレートの少なくとも左右いずれか一方向へのスライド移動を規制する規制手段が設けられていることを特徴としている。
この特徴によれば、シンクの上部に載置されたプレートは、シンクの上部に載置された状態において、シンクの前後上端縁に形成される段部と規制手段とによりスライド移動が確実に規制され、使用時において不用意に移動することがないので、プレートの使用性が向上される。
【０００７】
本発明の流し台は、前記シンクの上部に載置されるプレートの左右方向へのスライド移動が、前記シンクの側壁の上端縁部に形成される段部と前記規制手段とにより規制されるようになっていることが好ましい。
このようにすることで、トレーに複雑な規制手段を設けることなく、プレートをシンク上部における左右いずれかの端部に容易に固定することが出来る。
【０００８】
本発明の流し台は、前記トレーの前端部に、前記シンクの上部に載置されるプレートの下面後端を支持する支持板が、前記トレーの左右方向に延びるように設けられていることが好ましい。
このようにすることで、プレートの後端を支持板により支持出来るため、シンクの上部における任意の箇所にプレートを安定的に載置出来る。
【０００９】
本発明の流し台は、前記規制手段が、前記プレートの側面に当接可能に設けられるストッパ部材であることが好ましい。
このようにすることで、プレートに何ら加工を施すことなく、プレートのスライド移動を確実に規制することが出来る。
【００１０】
【発明の実施の形態】
以下、本発明の実施例を図面に基づいて説明していくと、まず図１には本発明の適用された流し台１の要部が示されており、ステンレス板や人工大理石等からなる天板２の所定箇所には穴部３が形成され、この穴部３にシンク４がはめ込まれている。
【００１１】
図１及び図２に示されるように、シンク４は、ステンレス鋼板により平面視略方形に形成されているとともに、その後壁４ａの左右方向略中央部には、外方に張り出す略半円形状の凹部６が形成され、シンク４の奥行きが一部広くなっており、シンク４内に大型の鍋やボール等を収容出来るようになっている。なお、この凹部６の形状は、上記半円形状に限定されるものではなく、例えば方形状であってもよい。
【００１２】
シンク４の前壁４ａ、後壁４ｂ、左右壁４ｃの上端周縁（後壁４ｂの凹部６の上端を除く）には段部７が形成されており、この段部７の上面７ａに後述する水切りプレート８の端部を載置出来るようになっている。
【００１３】
また、後壁４ｂの後側には、凹部６を囲むように広がる鍔片９が、段部７の垂直壁７ｂの上端より連設されており、この鍔片９上部には、カラン１０、ソープディスペンサー１１がそれぞれ立設されている。
【００１４】
１２は、食器等を洗浄するための洗剤容器やスポンジ等を収容可能なポケット１３が形成されたトレーであり、その後側には、特に図３中２点鎖線で示されるように、まな板を起立状態に保持するまな板保持部１４が形成されているとともに、前側には、プレート８の前端下面を載置可能な支持板１５が、一段低い位置に左右方向に延びるように形成されている。なお、ポケット１３の底面には、図２、図４に示されるように、水切り用の長孔１８が複数形成されており、収容物に付着された水等をシンク４内に排出出来るようになっている。
【００１５】
このトレー１２におけるポケット１３の左右側の平板部にはダルマ孔１６がそれぞれ形成されており、このダルマ孔１６を鍔片９における凹部６の左右側近傍にそれぞれ突設された係止ピン１７に係止することにより、シンク４における凹部６の上部に、着脱自在に取付出来るようになっている。
【００１６】
さらに、支持板１５の上面における左右方向中央位置には規制手段としてのストッパ部材１９が上方に向けて突設されている。このストッパ部材１９の左右側側面２０は、水切りプレート８におけるＲ形状のコーナー部Ｃの側面に沿うように形成されている。
【００１７】
このトレー１２を前述した方法にてシンク４に取り付けると、上面に排水溝２１が複数並設された水切りプレート８を、その端部を、シンク４の前壁４ａ、後壁４ｂ、左右いずれか一方の側壁４ｃの上端に形成された段部７の上面７ａ、及びトレー１２の支持板１５の上面にそれぞれ載置することで、図２中実線及び２点鎖線で示されるように、シンク４の上部左側もしくは右側に載置することが出来る。
【００１８】
そして、このようにシンク４の上部左側もしくは右側に載置された水切りプレート８は、その前後端の側面がシンク４の前壁４ａ、後壁４ｂの上端に設けられる段部７の垂直壁７ｂに当接することで、前後方向のスライド移動が規制されるとともに、左右端の側面がシンク４の側壁４ｃの上端に設けられる段部７の垂直壁７ｂ、及びストッパ部材１９の側面２０に当接することで、左右方向のスライド移動が規制されるので、シンク４の上部に安定して固定されることになる。
【００１９】
よって、シンク４の上部に配置した水切りプレート８が不用意にスライド移動して、その上部に載置された食器や調理器具が落下することがないので、安全である。
【００２０】
また、トレー１２や水切りプレート８に複雑な加工を施すことなく、水切りプレート８をシンク上部における左右いずれかの端部に容易に固定することが出来る。
【００２１】
さらに、トレー１２に支持板１５が形成されていることにより、シンク４の上部における任意の箇所に水切りプレート８を安定的に載置することが出来る。
【００２２】
また、このようにシンク４の上部に載置するプレートとしては、水切りプレート８に限定されるものではなく、例えば図５に示されるような調理プレート２２等も適用可能である。
【００２３】
また、規制手段としてのストッパ部材１９は、シンク４の上面に載置されるプレートの左右方向のスライド移動を規制出来るように構成されていれば、その形状等は上記したストッパ部材のみに限定されるものではなく、例えば図６に示されるように、上方に向けて突設されるピン状のストッパ部材２３等により構成されていてもよい。
【００２４】
以上、本発明の実施の形態を図面を用いて説明してきたが、本発明は上記実施の態様に限定されるものではなく、種々の実施形態を取り得る。
【００２５】
例えば、上記実施例においては、ストッパ部材１９が、水切りプレート８や調理プレート２２の後端下面を載置可能な支持板１５上に設けられているが、シンク４の前後の段部７のみで各プレートの前後端を支持出来れるように構成されていれば、特に支持板１５等を設けなくてもよい。
【００２６】
さらに、特に図示しないが、ストッパ部材１９のみにより、プレートの前後及び左右方向のスライド移動が規制されるようにしてもよい。
【００２７】
【発明の効果】
本発明によれば、次のような効果が得られる。
【００２８】
（ａ）請求項１の発明によれば、シンクの上部に載置されたプレートは、シンクの上部に載置された状態において、シンクの前後上端縁に形成される段部と規制手段とによりスライド移動が確実に規制され、使用時において不用意に移動することがないので、プレートの使用性が向上される。
【００２９】
（ｂ）請求項２の発明によれば、トレーに複雑な規制手段を設けることなく、プレートをシンク上部における左右いずれかの端部に容易に固定することが出来る。
【００３０】
（ｃ）請求項３の発明によれば、プレートの後端を支持板により支持出来るため、シンクの上部における任意の箇所にプレートを安定的に載置出来る。
【００３１】
（ｄ）請求項４の発明によれば、プレートに何ら加工を施すことなく、プレートのスライド移動を確実に規制することが出来る。
【図面の簡単な説明】
【図１】本発明の適用されたシンクを備える流し台の要部を示す斜視図である。
【図２】シンクを示す平面図である。
【図３】シンクにトレーとプレートを適用した状態を示す斜視図である。
【図４】図２のＡ−Ａ断面図である。
【図５】調理プレートを適用した状態を示す斜視図である。
【図６】ストッパ部材の変形例を示す斜視図である。
【符号の説明】
１          流し台
２          天板
３          穴部
４          シンク
４ａ        前壁
４ｂ        後壁
４ｃ        側壁
６          凹部
７          段部
７ａ        上面
７ｂ        垂直壁
８          水切りプレート
８ａ        側面
９          鍔片
１０        カラン
１１        ソープディスペンサー
１２        トレー
１３        ポケット
１４        まな板保持部
１５        支持板
１６        ダルマ孔
１７        係止ピン
１８        長孔
１９        ストッパ部材（規制手段）
２０        側面
２１        排水溝
２２        調理プレート
２３        ストッパ部材（規制手段）
Ｃ          コーナー部
【図１】
0004237384.tif 000002
【図２】
0004237384.tif 000003
【図３】
0004237384.tif 000004
【図４】
0004237384.tif 000005
【図５】
0004237384.tif 000006
【図６】
0004237384.tif 000007